(57)【特許請求の範囲】
【請求項１】
透液性表面シートと裏面シートとの間に吸収体が介在されるとともに、個装に際して幅方向の折り線にて長手方向に折り畳まれる吸収性物品において、
前記吸収性物品の幅方向中央部であって前記折り線上及び／又はその近傍に、吸収性物品の幅方向に長い線状を成し、曲げ荷重を作用させたときに容易に変形する可撓性を有するとともに、この変形状態を維持して復元しにくい素材からなる前記吸収体用の形状保持部材を、前記裏面シートの外面側又は前記裏面シートよりも肌側であって前記吸収体よりも外面側に介在させて、吸収性物品の幅方向に沿って配設してあることを特徴とする吸収性物品。
【請求項２】
前記吸収性物品は、前記透液性表面シートの面側に左右一対の圧搾溝が施され、
前記形状保持部材の部材長手寸法は、吸収性物品の長手方向中心線から両側にそれぞれ３０mm以下の範囲に配設可能な長さで形成され、且つ少なくとも前記左右一対の圧搾溝同士の離間幅以上の長さで形成されている請求項１記載の吸収性物品。
【請求項３】
前記形状保持部材は、吸収性物品の幅方向に間隔を空けて複数配設されている請求項１、２いずれかに記載の吸収性物品。
【請求項４】
前記形状保持部材は、吸収性物品の長手方向に間隔を空けて複数配設されている請求項１〜３いずれかに記載の吸収性物品。
【請求項５】
前記形状保持部材の部材幅寸法は、前記折り線より離れるに従って漸次太く形成されている請求項４記載の吸収性物品。
【請求項６】
前記形状保持部材同士の間隔は、前記折り線より離れるに従って漸次広くなるように配設されている請求項４、５いずれかに記載の吸収性物品。
【請求項７】
前記吸収性物品の表面側の両側部にはそれぞれ肌側に起立する立体ギャザーが形成され、
前記立体ギャザーの起立範囲に前記折り線が形成される場合、前記立体ギャザーの起立範囲に形成される折り線を跨ぐとともに前記立体ギャザーの起立範囲と重なる領域に、吸収性物品の長手方向に沿う第２の形状保持部材が配設されている請求項１〜６いずれかに記載の吸収性物品。
【発明の詳細な説明】
【技術分野】
【０００１】
本発明は、経血やおりものなどを吸収するための生理用ナプキン、パンティーライナー、失禁パッド等の吸収性物品、詳しくは個装時の折り畳み位置に形状保持部材を配置した吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品を個装するに際しては、前記不透液性裏面シート側の面（外面）に設けられた粘着剤層を紙又はフィルムからなる剥離シートによって被覆するとともに、吸収性物品の外面側に包装シートを配置し、これら吸収性物品、剥離シート及び包装シートを共に長手方向に三つ折り又は四つ折りとしていた。
【０００４】
ところが、個装された吸収性物品を開封して展開したとき、個装時の折り線に沿って折り皺や折り癖が残ることなどが問題となっていた。この問題を解決するため、下記特許文献１、２に開示されるように、折り線位置にエンボス（圧搾溝）を施したものが提案されている
【先行技術文献】
【特許文献】
【０００５】
【特許文献１】特開２０１０−１１５３６８号公報
【特許文献２】特開２０１０−１７８９３２号公報
【発明の概要】
【発明が解決しようとする課題】
【０００６】
しかしながら、上記特許文献１、２に示されるように折り線位置にエンボスを施しても折り跡が残る場合があり、十分な効果が得られにくかった。また、前述の折り皺や折り癖によって装着時の違和感や、肌に密着しないことによる漏れが発生する場合があった。また、エンボスを施すことによってエンボス部分やその近傍の剛性が高くなり、肌当たりが悪化する原因になる場合があった。
【０００７】
そこで本発明の主たる課題は、個装による折り皺や折り癖をなくし、装着感を高めるとともに漏れを防止した吸収性物品を提供することにある。
【課題を解決するための手段】
【０００８】
上記課題を解決するために請求項１に係る本発明として、透液性表面シートと裏面シートとの間に吸収体が介在されるとともに、個装に際して幅方向の折り線にて長手方向に折り畳まれる吸収性物品において、
前記吸収性物品の幅方向中央部であって前記折り線上及び／又はその近傍に、吸収性物品の幅方向に長い線状を成し、曲げ荷重を作用させたときに容易に変形する可撓性を有するとともに、この変形状態を維持して復元しにくい素材からなる前記吸収体用の形状保持部材を、前記裏面シートの外面側又は前記裏面シートよりも肌側であって前記吸収体よりも外面側に介在させて、吸収性物品の幅方向に沿って配設してあることを特徴とする吸収性物品が提供される。
【０００９】
上記請求項１記載の発明では、吸収性物品の幅方向中央部であって個装の際の折り線上及び／又はその近傍に、吸収性物品の幅方向に長い線状をなし、曲げ荷重を作用させたときに容易に変形する可撓性を有するとともに、この変形状態を維持して復元しにくい素材からなる前記吸収体用の形状保持部材を、前記裏面シートの外面側又は前記裏面シートよりも肌側であって前記吸収体よりも外面側に介在させて、吸収性物品の幅方向に沿って配設してあるため、開封の際に吸収性物品の三つ折りや四つ折りの折り畳み状態を展開した後、形状保持部材を部材長手方向の中央部が吸収性物品の表面側に隆起するように湾曲させ、吸収体を幅方向中央部が表面側に凸となるような湾曲状態に維持することによって、吸収体の長手方向に対する曲げ剛性を増して、個装による折り皺や折り癖をなくすようにしている。これに伴い、吸収性物品の装着感が改善し、漏れが防止できるようになる。なお、前記形状保持部材とは、曲げ荷重を作用させたときに容易に変形する可撓性を有し、この変形状態を維持して復元しにくい素材からなる線状の部材のことである。
【００１０】
請求項２に係る本発明として、前記吸収性物品は、前記透液性表面シートの面側に左右一対の圧搾溝が施され、
前記形状保持部材の部材長手寸法は、吸収性物品の長手方向中心線から両側にそれぞれ３０mm以下の範囲に配設可能な長さで形成され、且つ少なくとも前記左右一対の圧搾溝同士の離間幅以上の長さで形成されている請求項１記載の吸収性物品が提供される。
【００１１】
上記請求項２記載の発明では、個装の折り線が吸収性物品の脚周りに当接する領域に形成される場合について規定している。この場合、形状保持部材の端部が脚の内側に当たると違和感や擦れの原因となるため、吸収性物品の長手方向中心線から両側にそれぞれ３０mm以下の範囲に配設可能な部材長手方向長さで形成するとともに、この領域には通常左右一対の圧搾溝が施されるため、この圧搾溝間の剛性が高いことと、この圧搾溝間を肌側に隆起させてフィット性を向上させることが好ましいことを考慮して、圧搾溝間の変形性を高めるため、少なくとも左右の圧搾溝同士の離間幅以上の部材長手方向長さで形成することとしている。
【００１２】
請求項３に係る本発明として、前記形状保持部材は、吸収性物品の幅方向に間隔を空けて複数配設されている請求項１、２いずれかに記載の吸収性物品が提供される。
【００１３】
上記請求項３記載の発明は、形状保持部材の配設パターンとして、吸収性物品の幅方向に間隔を空けて複数配設するパターンとすることによって、形状保持部材の剛性を低下させ、吸収性物品をより柔軟に変形させやすくしている。
【００１４】
請求項４に係る本発明として、前記形状保持部材は、吸収性物品の長手方向に間隔を空けて複数配設されている請求項１〜３いずれかに記載の吸収性物品が提供される。
【００１５】
上記請求項４記載の発明では、形状保持部材の配設パターンとして、吸収性物品の長手方向に間隔を空けて複数配設するパターンとすることによって、これらの配設範囲全体に１つの形状保持部材を配置したときより剛性を低く抑えることができ、吸収性物品を変形させやすくなる。また、吸収性物品の長手方向の広い範囲に形状保持部材を配置できるため、折り皺や折り癖を広範囲に亘って確実になくすことができるようになる。
【００１６】
請求項５に係る本発明として、前記形状保持部材の部材幅寸法は、前記折り線より離れるに従って漸次太く形成されている請求項４記載の吸収性物品が提供される。
【００１７】
上記請求項５記載の発明では、形状保持部材を吸収性物品の長手方向に間隔を空けて複数配設する場合、個装の折り線近傍の部材幅寸法を小さくすることによって、折り線近傍の剛性を低く抑えて吸収性物品を変形させやすくしている。
【００１８】
請求項６に係る本発明として、前記形状保持部材同士の間隔は、前記折り線より離れるに従って漸次広くなるように配設されている請求項４、５いずれかに記載の吸収性物品が提供される。
【００１９】
上記請求項６記載の発明では、形状保持部材を吸収性物品の長手方向に間隔を空けて複数配設する場合、個装の折り線近傍の配置間隔を密にすることによって、折り皺や折り癖を効果的になくすようにしている。
【００２０】
請求項７に係る本発明として、前記吸収性物品の表面側の両側部にはそれぞれ肌側に起立する立体ギャザーが形成され、
前記立体ギャザーの起立範囲に前記折り線が形成される場合、前記立体ギャザーの起立範囲に形成される折り線を跨ぐとともに前記立体ギャザーの起立範囲と重なる領域に、吸収性物品の長手方向に沿う第２の形状保持部材が配設されている請求項１〜６いずれかに記載の吸収性物品が提供される。
【００２１】
上記請求項７記載の発明では、立体ギャザーの起立範囲に個装の折り線が形成される場合について規定している。立体ギャザーの起立範囲に折り線が形成されると立体ギャザーに折り癖がついて立体ギャザーが十分に起立しないことがあるため、立体ギャザーの起立範囲に形成される折り線を跨ぐとともに立体ギャザーの起立範囲と重なる領域に、吸収性物品の長手方向に沿う第２の形状保持部材を配設することによって、装着時に、個装により折り曲げられた第２の形状保持部材を、直線状又は中央部を肌側に隆起させた湾曲状に変形させることによって、立体ギャザーの折り癖をなくし、ギャザーの起立を確保するようにしている。
【発明の効果】
【００２２】
以上詳説のとおり本発明によれば、個装による折り皺や折り癖をなくし、装着感を高めるとともに漏れを防止した吸収性物品が提供できるようになる。
【図面の簡単な説明】
【００２３】
【図１】本発明に係る生理用ナプキン１の一部破断展開図である。
【図２】そのII−II線矢視図である。
【図３】生理用ナプキン１の開封要領（その１）を示す縦断面図である。
【図４】生理用ナプキン１の開封要領（その２）を示す斜視図である。
【図５】図４のV−V線矢視図である。
【図６】形状保持部材２０の寸法を示す生理用ナプキン１の展開図である。
【図７】形状保持部材２０の寸法を示す他の形態例に係る生理用ナプキン１の展開図である。
【図８】形状保持部材２０の配置パターンを示す生理用ナプキン１の裏面図である。
【図９】形状保持部材２０の配置パターンを示す生理用ナプキン１の裏面図である。
【図１０】形状保持部材２０の配置パターンを示す生理用ナプキン１の裏面図である。
【図１１】形状保持部材２０の配置パターンを示す生理用ナプキン１の裏面図である。
【図１２】第２の形状保持部材２１を示す生理用ナプキン１の展開図である。
【図１３】図１２のXIII−XIII線矢視図でる。
【図１４】第２の形状保持部材２１の拡大図である。
【図１５】形状保持部材２０の固定要領を示す生理用ナプキン１の裏面図である。
【図１６】形状保持部材２０の平面図である。
【発明を実施するための形態】
【００２４】
以下、本発明の実施の形態について図面を参照しながら詳述する。
【００２５】
〔生理用ナプキン１の基本構成〕
本発明に係る生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、前記透液性表面シート３の下層側に積層され、前記透液性表面シート３とクレープ紙５との間に介在された親水性不織布からなるセカンドシート６と、表面両側部にそれぞれ長手方向に沿って配設されたサイド不織布７，７とから構成されている。前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部Ｆが形成されている。
【００２６】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２８】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体４の製造方法は、柔軟性に富むように積繊パルプ、エアレイド吸収体とすることが好ましい。
【００２９】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。吸収体４としてエアレイド吸収体を使用した場合、吸収体自体の吸収性能が優れるため、クレープ紙５を使用していなくてもよい。
【００３１】
前記透液性表面シート３の下層側に積層される親水性不織布からなるセカンドシート６は、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。親水性を付与するには、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えることができる。
【００３２】
前記透液性表面シート３、セカンドシート６及び吸収体４の積層部分には、少なくとも体液排出部Ｈを含む領域に、透液性表面シート３の表面側からほぼナプキン長手方向に沿うとともに、ナプキン長手方向中心線側に曲率中心を有する弧状曲線によって左右一対の中央部圧搾溝９、９が施されている。
【００３３】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００３４】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３５】
上述の生理用ナプキン１を個装するに際しては、ウイング状フラップＷ、Ｗを折り線ＲＬにて非使用面側（裏面側）又は使用面側（表面側）に折り畳んだ状態で、生理用ナプキン１の外面側に包装シートを配置し、生理用ナプキン１及び包装シートを共に長手方向に幅方向の折り線Ｘ１、Ｘ２にて内側に折り畳む三つ折りとし、側縁部分をヒートシールするとともに、開封部をタグテープにより止着するようにする。折り畳みは、折り線Ｘ１〜Ｘ３にて折り畳む四つ折りであってもよいし（図７参照）、それ以上の複数折りでもよい。
【００３６】
〔形状保持部材２０について〕
個装状態の前記生理用ナプキン１を開封するには、タグテープを手で摘んで側縁部分のヒートシールを引き剥がした後、包装シートを取り除いて生理用ナプキン１を取り出す。取り出した生理用ナプキン１は、長期の折り畳みによって、図３に示されるように、生理用ナプキン１の表面側に前記折り線Ｘ１、Ｘ２に沿って折り皺が形成されるとともに、生理用ナプキン１の前側及び後側が内側に折り返る折り癖がついている。
【００３７】
かかる折り皺や折り癖をなくすため、本生理用ナプキン１では、図１に示されるように、幅方向中央部であって前記折り線Ｘ１、Ｘ２上にそれぞれ、ナプキン幅方向に長い線状の形状保持部材２０がナプキン幅方向に沿って配設されている。このため、開封の際に、図３に示されるように、三つ折りの折り畳み状態を展開した後、図４及び図５に示されるように、形状保持部材２０、２０をそれぞれ部材長手方向の中央部がナプキン表面側に隆起するように湾曲させ、吸収体４を幅方向中央部が表面側に凸となるような湾曲状態に維持することによって、吸収体４の長手方向に対する曲げ剛性を増して、前述の個装による折り皺や折り癖をなくすようにしている。このようにして前述の折り皺や折り癖がなくなった生理用ナプキン１を通常の場合と同様に身体に装着することによって、違和感なく装着できるとともに、ナプキン表面の折り皺や折り癖がなくなるのでナプキン表面が肌に密着して漏れが防止できるようになる。
【００３８】
更に、形状保持部材２０が股間部に位置する場合には、ナプキン幅方向中央部を肌側に隆起させた状態で維持できるので、ナプキン表面と肌との密着性が向上し、経血等を確実に吸収することができるようになる。
【００３９】
また、ナプキン後側の折り線Ｘ２に配設された形状保持部材２０は、臀部の溝の形状に合わせて部材長手方向中央部を強く折り曲げることによって、ナプキン後側が臀部の溝に沿って変形しやすくなり、肌との密着性がより一層向上するようになる。
【００４０】
ここで、「形状保持部材」とは、曲げ荷重を作用させたときに容易に変形する可撓性を有するとともに、この変形状態を維持して復元しにくいポリプロピレン樹脂等の素材からなる線状の部材のことである。
【００４１】
前記形状保持部材２０は、図２に示されるように、不透液性裏面シート２の外面側（下着当接面側）に固定することが好ましく、これによって肌に対する違和感が生じなくなるとともに、形状保持部材２０を設けてあることが直接着用者に認識させることができるようになる。一方、裏面シート２よりも肌側に介在させることも可能であるが、肌への違和感を軽減するため、吸収体４より外面側に配置することが望ましい。
【００４２】
形状保持部材２０の寸法は、図６に示されるように、部材幅寸法ａが１mm≦ａ≦３０mm、好ましくは３mm≦ａ≦１０mmである。この範囲の幅寸法とすることによって、吸収体４を確実に変形させることができ折り皺や折り癖をなくすことができるとともに、装着時の違和感を感じさせず、更に個装時の折り畳みを邪魔しないものとなる。
【００４３】
また、部材長手方向の寸法は、同図６に示されるように、個装の折り線が生理用ナプキン１の脚周りに当接する領域に形成される場合、すなわち図示例では前側の折り線Ｘ１及び後側の折り線Ｘ２に配設される形状保持部材２０の場合、生理用ナプキン１の長手方向中心線ＣＬから両側にそれぞれ長手寸法ｂ１、ｂ２が３０mm以下の範囲に配設可能な長さで形成されている。さらに、図７に示されるように、この領域には通常左右一対で圧搾溝１０が施されることが多いため、この圧搾溝１０、１０間の剛性が高いことと、この圧搾溝１０、１０間を肌側に隆起させてフィット性を向上させることが好ましいことなどを考慮して、圧搾溝１０、１０間の変形性を高めるため、少なくとも左右の圧搾溝１０、１０同士の離間幅以上の部材長手寸法ｂ１、ｂ２で形成されている。つまり、長手方向中心線ＣＬからの部材長手寸法ｂ１、ｂ２は、３０mm以下で且つ圧搾溝１０、１０間の離間幅の１／２以上で形成されている。なお、通常の生理用ナプキン１では、圧搾溝１０、１０間の離間幅は６０mm未満となっている。
【００４４】
脚周りに当接する領域に設けられる形状保持部材２０は、排尿口部Ｈの前後にそれぞれ排尿口部Ｈからの距離が同じような位置に折り線Ｘ１、Ｘ２が設けられる場合、前側の折り線Ｘ１に配設されるものと後側の折り線Ｘ２に配設されるものとが同じ部材長手方向長さであってもよいが、図６及び図７に示されるように、歩行時や座位のときなどに脚が前側に移動しやすいことを考慮して、前側の折り線Ｘ１に配設される形状保持部材２０の部材長手方向長さを後側の折り線Ｘ２に配設される形状保持部材２０の部材長手方向長さより相対的に短く形成することが好ましい（ｂ１＜ｂ２）。
【００４５】
一方、個装の折り線が生理用ナプキン１の脚周りに当接する領域以外に形成される場合、すなわち、図７の最も後側の折り線Ｘ３に配設される形状保持部材２０の場合、長手方向中心線ＣＬからの部材長手寸法ｂ３は、少なくとも圧搾溝１０、１０同士の離間幅の１／２以上で形成すればよく、吸収体４の幅寸法以上且つ外形線の幅寸法以下で形成することが好ましい。
【００４６】
形状保持部材２０の配設パターンとしては、図１などに示されるように、折り線に沿ってナプキン幅方向に連続する１本の形状保持部材２０を設けるもの以外に、図８に示されるように、ナプキン幅方向に間隔を空けて複数、図示例では３つの形状保持部材２０、２０…を配設することもできる。このような部材長手方向に分断したパターンで設けることによって、形状保持部材２０の曲げ剛性が低下し、生理用ナプキン１をより柔軟に変形させやすくすることができる。
【００４７】
また、図９に示されるように、形状保持部材２０は、ナプキン幅方向に連続する形状保持部材２０をナプキン長手方向に間隔を空けて、個装の折り線Ｘ１に対して線対称に複数配設することができる。図示例では、折り線Ｘ１上に１本とその前後にそれぞれ２本づつの合計５本配設してある。このようなパターンで配設することによって、これらの配設範囲全体に亘る１つの形状保持部材を配設した場合に比べて剛性が低く抑えられ、生理用ナプキン１の変形がしやすくなる。また、生理用ナプキン１の長手方向の広い範囲に形状保持部材２０を配設できるため、折り皺や折り癖を確実になくすことができるようになる。なお、図１０に示されるように、折り線Ｘ１上には配置せず、折り線Ｘ１の両側にそれぞれ２本ずつの合計４本とする配設パターンでもよい。
【００４８】
形状保持部材２０をナプキン長手方向に間隔を空けて複数配設する場合、形状保持部材２０は、図９に示されるように、個装の折り線Ｘ１より離れるに従って漸次太く形成することが好ましい。すなわち図示例では、ａ１≦ａ２≦ａ３の関係で形成してある。折り線近傍の部材幅寸法を相対的に小さくすることによって、折り線近傍の剛性を低く抑えて、個装時に折り線にて生理用ナプキン１を折り畳む際の折り畳みをしやすくしている。なお、図１０に示されるように、それぞれの形状保持部材２０を同じ幅寸法ａで形成することもできる。
【００４９】
また、同図９に示されるように、形状保持部材２０、２０同士の間隔は、折り線Ｘ１より離れるに従って漸次広くなるように配設することが好ましい。すなわち図示例では、ｃ１≦ｃ２の関係で配設してある。折り線近傍の間隔を密にすることによって、生理用ナプキン１の幅方向中央部を肌側に隆起させる湾曲状態がしっかりと形成でき、折り皺や折り癖が効果的になくすことができるようになる。なお、図１０に示されるように、同じ間隔ｃで配設することも可能である。
【００５０】
図１１は、別の配設パターンを示したものであり、形状保持部材２０をナプキン幅方向に間隔を空けて複数配設するとともに、ナプキン長手方向に間隔を空けて複数配設したものである。図示例では、ナプキン幅方向の離間部がナプキン長手方向に重ならないような千鳥状に配置している。これによって、広範囲に亘ってより剛性を低く抑えることができ、変形させやすくなる。
【００５１】
次に、図１２に示されるように、生理用ナプキン１の表面側の両側部にそれぞれ肌側に起立する立体ギャザーＢＳ、ＢＳが形成される生理用ナプキン１において、立体ギャザーＢＳの起立範囲に折り線Ｘ１が位置する場合について説明する。まず、立体ギャザーＢＳの構造について詳述すると、図１２及び図１３に示されるように、サイド不織布７の内方側部分をほぼ二重に折り返すとともに、この二重シート内部に、その高さ方向中間部に両端又は長手方向の適宜の位置が固定された糸状弾性伸縮部材１１を配設するとともに、前記糸状弾性伸縮部材１１の上側部位に複数本の、図示例では２本の糸状弾性伸縮部材１２、１２を両端または長手方向の適宜の位置が固定された状態で配設している。この二重シート部分は前後端部では、断面Ｚ上に折り畳んで積層された状態で吸収体４側に接着されることによって、断面く字状に内側に開口を向けたポケットＰ、Ｐを形成しながら表面側に起立する立体ギャザーＢＳ、ＢＳを形成している。
【００５２】
このような立体ギャザーＢＳの起立範囲に個装の折り線が位置する場合、立体ギャザーＢＳに折り癖がついて、立体ギャザーＢＳが十分に起立しないことがある。このため、図１２に示されるように、折り線Ｘ１に沿う形状保持部材２０の他に、立体ギャザーＢＳの起立範囲に位置する折り線Ｘ１を跨ぐように、立体ギャザーＢＳと重なる領域に、ナプキン長手方向に沿う第２の形状保持部材２１を配設することが好ましい。これによって、装着時に、個装により折り曲げられた第２の形状保持部材２１を、直線状に戻したり、又はナプキン長手方向中央部を肌側に隆起させた湾曲状に変形させたりすることによって、立体ギャザーＢＳの折り癖をなくし、立体ギャザーＢＳの十分な起立を確保するようにしている。
【００５３】
前記第２の形状保持部材２１は、詳細には図１４に示されるように、ナプキン長手方向に長い略長方形状の部材である。部材の全長に亘って同一の曲げ剛性としてもよいが、部材長手方向の両端部２１ａの曲げ剛性を中央部２１ｂの曲げ剛性に比べて低くすることが好ましい。これによって、個装時の折り畳みの邪魔にならず、容易に折り癖を直すことができるようになる。両端部２１ａの曲げ剛性を相対的に低くするには、両端部２１ａを中央部２１ｂに比べて、厚みを小さくしたり、幅を狭くしたりすればよい。
【００５４】
ところで、形状保持部材２０の剛性は、吸収体４の剛性に合わせて変化させることが好ましい。すなわち、エアレイド吸収体のようにコシのない吸収体では、個装の折り畳み時に折り皺や折り癖が付きやすいため、相対的に剛性の高い形状保持部材２０を使用し、折り皺や折り癖を強力に直すようにすることが好ましく、逆にコシのある吸収体の場合には、折り畳み時の折り皺や折り癖が付きにくいため、相対的に剛性の低い形状保持部材２０を使用することが好ましい。
【００５５】
前記形状保持部材２０の固定に当たっては、図１５に示されるように、下着に貼着して生理用ナプキン１のズレ止めを図るためのズレ止め粘着剤層１３、１３…に対し接着させる方法や、不透液性裏面シート２の外面側に部材長手方向に沿って少なくとも両端部と中央部とを含む部位に間欠的又は連続的にヒートシールやホットメルトなどの接着剤によって接合する方法を採用することができる。
【００５６】
形状保持部材２０は、上記図示例ではナプキン幅方向に長い直線状のものを用いたが、図１６に示されるように、種々の形態のものを用いることができる。例えば、(A)は、端部が身体に当たっても違和感を感じさせないようにするため、端部を半円弧状に丸みを持たせたものであり、(B)は、剛性を低減してナプキン幅方向に湾曲変形させやすくするため、波状線としたものであり、(C)は、部材長手方向両側の剛性を低減してナプキン幅方向に湾曲変形させやすくするため、部材長手方向中央部から両端部に向けて漸次幅狭になるように形成したものである。
【符号の説明】
【００５７】
１…生理用ナプキン、２…不透液性裏面シート、３…透液性表面シート、４…吸収体、５…クレープ紙、６…セカンドシート、７…サイド不織布、９・１０…圧搾溝、２０…形状保持部材、２１…第２の形状保持部材、Ｆ…外周フラップ部、Ｗ…ウイング状フラップ、Ｘ１・Ｘ２・Ｘ３…折り線
【図１】
0005883681.tif 000002
【図２】
0005883681.tif 000003
【図３】
0005883681.tif 000004
【図４】
0005883681.tif 000005
【図５】
0005883681.tif 000006
【図６】
0005883681.tif 000007
【図７】
0005883681.tif 000008
【図８】
0005883681.tif 000009
【図９】
0005883681.tif 000010
【図１０】
0005883681.tif 000011
【図１１】
0005883681.tif 000012
【図１２】
0005883681.tif 000013
【図１３】
0005883681.tif 000014
【図１４】
0005883681.tif 000015
【図１５】
0005883681.tif 000016
【図１６】
0005883681.tif 000017